(57)【要約】【課題】帳票等の原稿からの画像の取り込みに際し、取り込みミスや重複取り込みを防止する。【解決手段】読み取り対象２が載置される原稿載置部３と、該原稿載置部３に載置された読み取り対象２を撮像して画像データを取得する画像入力部４と、原稿載置部３上の読み取り対象２にこれと交差する方向への力が加わることにより操作されるスイッチ５と、該スイッチ５からの信号によって前記画像入力部４の画像データ取得動作を制御する制御部６と、読み取り対象２へ印字する印字部７とを有する。【選択図】図１
2020048032.tif 000002
【特許請求の範囲】
【請求項１】
読み取り対象が載置される原稿載置部と、
該原稿載置部に載置された読み取り対象を撮像して画像データを取得する画像入力部と、
前記原稿載置部上の読み取り対象と交差する方向への力が加わることにより操作されるスイッチと、
該スイッチからの信号によって前記画像入力部の画像データ取得動作を制御する制御部と、
前記スイッチと一体に設けられて前記原稿載置部上の原稿に印を付す印字部と、
を有する画像入力装置。
【請求項２】
前記スイッチは、前記印字部が前記読み取り対象に接触する際の力によって操作される、
請求項１に記載の画像入力装置。
【請求項３】
前記スイッチは、前記読み取り対象の前記原稿載置部と反対側の面に押し付けられる部材に設けられ、該部材の前記読み取り対象に押し付けられる面に前記印字部が設けられた、
請求項１または２のいずれか１項に記載の画像入力装置。
【請求項４】
前記原稿載置部には、前記スイッチを押し付けるべき場所を示す表示部が設けられた、請求項１〜３のいずれか１項に記載の画像入力装置。
【請求項５】
前記表示部は、読み取り対象を通過する光を発する、請求項４に記載の画像入力装置。
【請求項６】
前記制御部は、前記スイッチから信号が入力された後、所定時間経過後に前記画像入力部に画像入力を開始させる、請求項１〜５のいずれか１項に記載の画像入力装置。
【請求項７】
原稿載置部に載置された読み取り対象を撮像して画像データを取得する撮影工程と、
前記原稿載置部上の読み取り対象に印を付す工程と、
この印を付す工程に伴い、前記原稿載置部上の読み取り対象と交差する方向への力が加わることを検出する荷重検出工程と、
該力が加わったか否かの信号によって前記画像データの取得を制御する制御工程と、
を有する画像入力方法。
【請求項８】
読み取り対象が載置される原稿載置部に載置された読み取り対象を撮像して画像データを取得する画像入力部を制御する制御部に制御信号を入力する入力装置であって、
前記原稿載置部上の読み取り対象と交差する方向への力が加わることにより操作されるスイッチと、
前記読み取り対象に接触することによって前記スイッチを操作する接触部と
該接触部に設けられて前記原稿載置部上の原稿に印を付す印字部と、
を有する入力装置。
【発明の詳細な説明】
【技術分野】
【０００１】
本発明は、原稿上の記述情報をイメージ画像データとして取り込む画像入力装置、画像入力方法、及びこれらに用いられる入力装置に関する。
【背景技術】
【０００２】
例えば金融機関などの相談窓口などでは、銀行員と顧客とがテーブルを挟んで対面で話をする場合がある。
このとき、テーブル上には、タブレット端末を含むＰＣ、ＰＣからのデータを表示する表示装置、顧客が持参した資料やその場で署名した書類等を画像入力する入力装置などが設置されることがある。このような業務で使用される入力装置として、例えば、原稿面とは距離をおいて画像入力するスタンド式画像入力装置などがある。
【０００３】
ここに、原稿が例えば金融機関等で用いられる払い込み帳票である場合、払い込み帳票の処理としては、持ち込まれた帳票は画像入力装置により、原稿の画像がデジタルデータに変換され様々なデータが業務アプリケーションに渡される。
このような業務において、一旦前記画像入力装置を用いて画像が読み込まれてデータ処理された帳票には、読み込まれたことが人により明らかに認識することのできる目印を付すことが重複入力防止の見地から望ましい。特に、同じような帳票が複数存在する場合には、読み込み漏れや重複した読み込みといった誤りの発生を完全に防止することが難しい。
【０００４】
原稿の画像データを取り込むに際し、読み込み済みの原稿と未読み込みの原稿とを区別する業務に関連する技術として、下記の特許文献１〜４に示されたものがある。
特許文献１は、読み取り装置内に取り込まれた原稿が装置内を搬送される途中で、送信済みとのスタンプを押すものである。
特許文献２は、伝票に登録済みとの印を付けて未登録の伝票と区別する概念を示唆している。
特許文献３は、伝票自体に接触することにより、自動的に動作して伝票に印を付けるものである。
特許文献４は、画面に接触することにより、データを入力するものである。
【先行技術文献】
【特許文献】
【０００５】
【特許文献１】特開昭６４−０１７５５７号公報
【特許文献２】特開昭６１−１４５６８７号公報
【特許文献３】実用新案登録第３０７５０４４号公報
【特許文献４】特開２００６−０１９９１９号公報
【発明の概要】
【発明が解決しようとする課題】
【０００６】
しかしながら、特許文献１の技術は、装置内に取り込まれて搬送される原稿へ印を付すものであって、また特許文献２の技術は、具体的に印を付す構成が明らかではなく、いずれも、現に利用者の面前に存在する伝票等に取り込み済みの印を直接的に付す際に使用することができるものではない。
さらに、特許文献３、４に開示された技術は、単に印を付す構成を断片的に開示するに過ぎず、伝票等の画像の二重取り込みを防止するために直ちに適用することができるものではない。
【０００７】
この発明は、上述した事情に鑑みてなされたものであって、伝票等の原稿から画像を取り込むに際して、二重取り込みを防止しつつ確実に取り込みを確認することを目的とする。
【課題を解決するための手段】
【０００８】
上記課題を解決するために、この発明は以下の手段を提案している。
本発明の第１態様に係る画像入出力装置は、読み取り対象が載置される原稿載置部と、該原稿載置部に載置された読み取り対象を撮像して画像データを取得する画像入力部と、前記原稿載置部上の読み取り対象に読み取り対象と交差する方向への力が加わることにより操作されるスイッチと、該スイッチからの信号によって前記画像入力部の画像データ取得動作を制御する制御部と、前記スイッチと一体に設けられて前記原稿載置部上の原稿に印を付す印字部とを有する。
【０００９】
本発明の第２態様に係る画像入力方法は、原稿載置部に載置された読み取り対象を撮像して画像データを取得する撮影工程と、前記原稿載置部上の読み取り対象に印を付す工程と、この印を付す工程に伴い、前記原稿載置部上の読み取り対象と交差する方向への力が加わることを検出する荷重検出工程と、該力が加わったか否かの信号によって前記画像データの取得を制御する制御工程とを有する。
【００１０】
本発明の第３実施態様に係る入力装置は、読み取り対象が載置される原稿載置部に載置された読み取り対象を撮像して画像データを取得する画像入力部を制御する制御部に制御信号を入力する入力装置であって、前記原稿載置部上の読み取り対象と交差する方向への力が加わることにより操作されるスイッチと、前記読み取り対象に接触することによって前記スイッチを操作する接触部と、該接触部に設けられて前記原稿載置部上の原稿に印を付す印字部とを有する。
【発明の効果】
【００１１】
本発明によれば、読み取り対象に対して、読み取り済みを示すための何らかの操作が行われたことが、人に認識し得る態様にて読み取り対象に表示されたことを条件として、有効に画像が取り込まれる。
【図面の簡単な説明】
【００１２】
【図１】本発明の第１態様、第２態様の最少構成を示す斜視図である。
【図２】本発明の第３態様の最少構成を示す斜視図である。
【図３】本発明の第１実施形態を示す斜視図である。
【図４】本発明の第１実施形態の制御動作を示すフロー図である。
【図５】図４に鎖線Ｖで示される入力装置の捺印操作前の状態の斜視図である。
【図６】図５に示される入力装置の捺印操作中の状態の斜視図である。
【発明を実施するための形態】
【００１３】
図１を参照して、本発明の第１態様にかかる画像入力装置、第２態様にかかる画像入力方法を説明する。
この画像入力装置１は、読み取り対象としての原稿２が載置される原稿載置部３と、該原稿載置部に載置された読み取り対象２を撮像して画像データを取得するカメラ等の画像入力部４と、前記原稿載置部３の前記原稿２と交差する方向、例えば図１の上下方向、への力が加わることにより操作されるスイッチ５と、このスイッチ５からの信号によって前記画像入力部４の画像データ取得動作を制御する制御部６と、前記スイッチ５と一体に設けられて前記原稿載置部３上の原稿２に印を付す印字部７とを有する。なお前記画像入力部４に取り込まれた画像データは、画像信号処理部（図示略）によって、記憶、認識、投影等の処理が行われる。
【００１４】
この画像入力装置１の動作とともにその作用を説明する。
操作者が原稿載置部３に原稿２を載せ、例えば、原稿２にスイッチ５の印字部７を押し付けて原稿２を押す操作をすると、スイッチ５が作動して信号を制御部６に供給し、スイッチ５が操作されたことを条件として、例えば画像データの入力を開始することができる。あるいは、すでに取り込まれた画像データを有効なものとしてメモリに記憶する等の処理をしても良い。
【００１５】
すなわち上記画像入力装置１では、原稿載置部３に載置された原稿２を撮像して画像データを取得する撮影工程と、前記原稿載置部３上の原稿２に印を付す工程と、この印を付す工程に伴い、前記原稿載置部３上の原稿２と交差する方向への力が加わることを検出する荷重検出工程と、該力が加わったか否かの信号によって前記画像データの取得を制御する制御工程とを有する画像入力方法が行われる。
【００１６】
図２を参照して、本発明の第３態様を説明する。
この入力装置８は、原稿が載置される原稿載置部に載置された原稿を撮像して画像データを取得する画像入力部を制御する制御部に制御信号を入力する装置であって、原稿載置部上の原稿と交差する方向への力が加わることにより操作されるスイッチ５と、前記原稿に接触することによって前記スイッチ５を操作する接触部９と、該接触部９に設けられて前記原稿載置部上の原稿に印を付す印字部７とを有する。
【００１７】
図３〜６は本発明の第１実施形態を示すものである。なお図１、２と共通の構成要素には同一の符号を付し、説明を簡略化する。
原稿載置部３は、具体的には、平面状に形成された上面板３０１であって、この上面板３０１に原稿２が載置される。前記上面板３０１は、業務上使用される可能性のある原稿、例えば銀行の払い出し請求書のような帳票の内、最大寸法のものを載せることができる形状に形成されている。また上面板３０１の上部の互いに直交する二辺に沿って、上面板３０１から上方へ直線状に突出させて、第１の縁部３０２、第２の縁部３０３が形成されている。
これらの縁部３０２、３０３は、前記原稿２を例えば図４の矢印ｘ方向およびまたはこれと直交する方向へ押し当てることによって、操作者が原稿２を原稿載置部３上で所定の位置に位置決めすることができるようになっている。
また原稿載置部３の上面板３０１には、所定の領域に原稿２が載置されたことを検出する原稿検知センサ（図示略）が設けられている。すなわち、上面板３０１上への原稿２の存在を検出する光学的手段、機械的に原稿２からの圧力（重量）を検出する圧力検出手段、画像入力部４に入力された画像データから原稿２の有無を検出する画像検出手段等、何らかの手段によって原稿の存在を検出することができれば良い。
【００１８】
前記上面板３０１の上部であって、原稿２を第１、第２の縁部３０２、３０２に押し当てた状態で該原稿２の印影２０３と重なり得る位置は、受圧領域３０４となっている。この受圧領域３０４は、図４の上下方向（上面板３０１と交差する方向）を作動方向とするスイッチ５の圧力を受けて印字部７から原稿２へ印影が転写されるべき位置を作業者に認識させ、さらには、原稿２へ印影が転写され易くされることが望ましい。なお、受圧領域３０４は、前記上面板３０１と同一材料からなり、入力装置８によって捺印すべき仮想の領域であっても良い。また、印字部７から原稿２への転写を促進すべく、ガラスや硬質プラスチック等で形成された上面板３０１より柔軟な材料で形成しても良い。また、前記受圧領域３０４にスイッチ５から受ける圧力を検出するセンサを設ける構成、原稿２を下から上へ透過する光線を発して操作者に印字部７を押し付けるべき位置を示す構成を採用しても良い。
【００１９】
図５に示すように、前記スイッチ５（入力装置８）は、作業者が容易に保持することができる大きさを有し、紙葉類に押下することで印影２０３が転写する印鑑状をなしている。
このスイッチ５は、筒状のボディ５０５に、押下するときの紙葉類（原稿２）への力あるいは変位により電気信号が開閉するスイッチ本体５０６、５０７を備えている。これらのスイッチ本体５０６、５０６は、筒状のボディ５０５の軸線方向に重なるように配置されていて、矢印Ｚ方向への力によって同時に動作することができる。また前記ボディ５０５の下面には、印字部としての凹凸状突起５０８が設けられ、この凹凸状突起５０８の凹凸が、印鑑の印面としての機能を果たして、実際に原稿２に印影２０３を印すことができるようになっている。
【００２０】
前記スイッチ本体５０６は、捺印に際して、手指によってスイッチ５の上端を図５の矢印Ｚ方向へ押す操作によって操作される。また、スイッチ本体５０６は、印鑑部５０８が原稿２に押し付けられる際の反力によって操作される。また、スイッチ本体５０６と５０７とは、直列に接続されていて、これらスイッチ本体５０６、５０７の両方がＯＮ（またはＯＦＦ）に開閉されること（ａｎｄ条件が成立すること）によって、原稿２へ捺印された旨の信号が制御部６へ供給されるようになっている。なお、スイッチ本体５０６、５０７のいずれかが操作されること（ｏｒ条件が成立すること）によって捺印された旨の信号が制御部６へ供給される構成であっても良い。捺印終了を条件として、図６に示すようにスイッチ本体５０６の上面を発光させる等により、その旨を操作者に示すようにしても良い。
【００２１】
上記印鑑状のスイッチ５の動作とともに、その作用を説明する。
操作者が原稿２を原稿載置部３に置き、スイッチ５の上部を持って印鑑部５０８を押し付け、押し付ける操作とともに、あるいは、画像入力開始の意志により、手指により、上側のスイッチ本体５０６を押す。この押す操作により、印鑑部５０８が原稿２から反力を受けて下側のスイッチ本体５０７も押されて、ほぼ同時に開閉動作する。制御部６は、これらのスイッチ本体５０６、５０７が同じ開閉状態となるａｎｄ条件を受けて、画像入力部４を操作し、画像の取り込み開始（あるいは画像データの有効化）等の処理を行う。
【００２２】
なお図示の場合、上下に二つのスイッチ本体５０６、５０７を設けたが、手指により下方へ向かう力、原稿からの反力により上方へ向かう力の少なくとも何れかを受けて開閉動作する一つのスイッチ本体を用いる方式としても良い。また、スイッチ本体５０６、５０７は、通常の接点を機械的に操作する方式の他、捺印にともなって印鑑部５０８が受ける圧力により動作する圧電スイッチ、あるいは、ボディ５０５の頭部が指で押さえられ、あるいは、印鑑部５０８が原稿２によって覆われることにより動作する光源からの光線の遮断を検出する光電スイッチ等、他の動作方式のスイッチを用いることもできる。
【００２３】
一方、前記原稿載置部３の端部には、上方へ伸びるスタンド部４０１が設けられ、このスタンド部４０１の上端に前記画像入力部４が設けられて、前記原稿載置部３上の原稿２から画像を読み取るようになっている。前記画像入力部４は、前記スイッチ５が操作されてスイッチ本体５０６、５０７が動作した旨の信号が制御部６へ入力されると、制御部６からの制御信号に基づき、前記原稿載置部３上の原稿２の画像を読み取る。ここで、スイッチ本体５０６、５０７からの信号を受けた後、所定時間経過した後（例えば、原稿２を印字部７によって原稿２に印影２０３を印した操作者が、その手指を原稿載置部３の読み取り領域外に出すに十分な時間経過後）に読み取りを開始することにより、原稿２を入力装置８によって押した操作者の手指が画像入力部４に画像として読み取られることによる読み取り不良を防止することができる。
【００２４】
なお、すでに画像入力部４が原稿２の画像を読み取った後、読み取り完了を認識した操作者が印影２０３を印すことによってスイッチ本体５０６、５０７が動作したことを条件として、既に読み取られた画像を有効と判断して記憶手段（図示略）に記憶させる、あるいは表示装置へ出力する等処理を行うようにしても良い。
【００２５】
図３は、第１実施形態の画像入力装置の制御動作を作業者が行う処理と対応して示すフロー図である。
作業者が原稿２を原稿載置部３の所定位置に置くと（ＳＰ１１）、原稿入力装置が、原稿２が原稿載置部３に置かれていることを原稿検知センサ（図示略）が検出し、この信号を受ける（ＳＰ２１）。
【００２６】
次いで、作業者が画像入力のため、操作者が原稿２へ印鑑形状のスイッチ５の印字部７を押し付けることによって、原稿２に印影を印すとともに、スイッチ５をＯＮに操作する（ＳＰ１２）。具体的には、スイッチ本体５０６およびまたは５０７が開または閉に切替操作され、画像入力部４が、画像入力を開始させる信号を受ける（ＳＰ２２）。
【００２７】
その後、画像入力装置は所定時間の経過を待つ（ＳＰ２３）。すなわち、制御部６は、作業者が捺印後に入力装置８を原稿２から離すに十分な時間、例えば１秒以下の短い時間が経過するのを待つ（ＳＰ２３）。より具体的は、操作者は、印字部７から原稿２へ印影が転写されるに十分な時間だけスイッチ５を押す操作を継続した後、原稿２を、画像入力装置の視野（画像取り込みが可能な領域）から退避させる（ＳＰ１３）。
また制御部６は、継続して原稿２が置かれているかを原稿検知センサ（図示略）からの検出信号の入力の有無により確認する（ＳＰ２４）。この処理により、原稿２が所定時間継続して原稿載置部３に置かれていることが確認されると（Ｙｅｓの場合）、取り込まれた画像を有効なものとしてアプリケーションへ送信し、あるいは、記憶手段に書き込むと（ＳＰ２５）、画像取り込み動作が終了する（ＳＰ２６）。
なお、原稿２が所定時間経過前に取り除かれた場合は、ＳＰ２１へ戻って再度原稿２の入力動作を繰り返す。
【００２８】
一方、作業者は、所定時間経過後に原稿２を取り去り（ＳＰ１４）、画像入力操作を終了する（ＳＰ１５）。
このように一定の時間の経過を待つステップを設けることによって、スイッチ５を操作している作業者の手とスイッチ５とが、画像入力の視野に存在しなくなる状態まで待つことができ、正常に画像入力が終了した帳票等の原稿２へ、確実に終了を示す印影を残すことができる。
【００２９】
なお前記入力装置８の頭部、周囲等、操作者から目視可能な個所に発光手段を設け、スイッチ５が正常に作動して捺印が完了し、また画像入力部４による読み取りが完了したことを条件として点灯させるようにしても良い。また、スイッチ５が正常に動作しない場合、画像入力部４による読み取りが正常に完了しない場合に、異なる色の発光や点滅によって正常でない旨を作業者に報知するようにしても良い。
【００３０】
なお、上記各実施形態は、原稿載置部３の上方に画像入力部４を設けた構成を示したが、原稿載置部３の上方でかつ画像入力部４の近傍には、取得したイメージ画像データを投影用データとして原稿載置部３に向けて投影する投影手段を設けるようにしても良い。
【００３１】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００３２】
本発明は、原稿上の記述情報をイメージ画像データとして取り込む画像入力装置に関する。
【符号の説明】
【００３３】
１  画像入力装置
２  原稿（読み取り対象）
３  原稿載置部
４  画像入力部
５  スイッチ
６  制御部
７  印字部
８  入力装置
２０３  印影
３０１  上面板
３０２  （第１の）縁部
３０３  （第２の）縁部
３０４  受圧領域
４０１  スタンド部
５０５  ボディ
５０６、５０７  スイッチ本体
５０８  印鑑部（印字部）
【図１】
2020048032.tif 000003
【図２】
2020048032.tif 000004
【図３】
2020048032.tif 000005
【図４】
2020048032.tif 000006
【図５】
2020048032.tif 000007
【図６】
2020048032.tif 000008
【手続補正書】
【提出日】令和1年9月10日(2019.9.10)
【手続補正１】
【補正対象書類名】特許請求の範囲
【補正対象項目名】全文
【補正方法】変更
【補正の内容】
【特許請求の範囲】
【請求項１】
読み取り対象が載置される原稿載置部と、
該原稿載置部に載置された読み取り対象を撮像して画像データを取得する画像入力部と、
前記原稿載置部上の読み取り対象と交差する方向への力が加わることにより操作されるスイッチと、
該スイッチからの信号によって前記画像入力部の画像データ取得動作を制御する制御部と、
前記スイッチと一体に設けられて前記原稿載置部上の原稿に印を付す印字部と、
を有し、
前記原稿載置部には、前記スイッチを押し付けるべき場所を示す表示部が設けられた、画像入力装置。
【請求項２】
前記スイッチは、前記印字部が前記読み取り対象に接触する際の力によって操作される、
請求項１に記載の画像入力装置。
【請求項３】
前記スイッチは、前記読み取り対象の前記原稿載置部と反対側の面に押し付けられる部材に設けられ、該部材の前記読み取り対象に押し付けられる面に前記印字部が設けられた、
請求項１または２のいずれか１項に記載の画像入力装置。
【請求項４】
前記表示部は、読み取り対象を通過する光を発する、請求項１〜３のいずれか１項に記載の画像入力装置。
【請求項５】
前記制御部は、前記スイッチから信号が入力された後、所定時間経過後に前記画像入力部に画像入力を開始させる、請求項１〜４のいずれか１項に記載の画像入力装置。
【請求項６】
原稿載置部に載置された読み取り対象を撮像して画像データを取得する撮影工程と、
印を付すべき場所を示す表示にしたがって、前記原稿載置部上の読み取り対象に印を付す工程と、
この印を付す工程に伴い、前記原稿載置部上の読み取り対象と交差する方向への力が加わることを検出する荷重検出工程と、
該力が加わったか否かの信号によって前記画像データの取得を制御する制御工程と、
を有する画像入力方法。